(57)【要約】　　　（修正有）【課題】意匠性を高めるとともに、付属品の設置を簡単に行なうことができる建築用パネルを提供する。【解決手段】建物の塀、門または壁に用いられる矩形状の建築用パネル１であって、外周に溝７ａ、７ｂ、７ｃ、７ｄが形成されるとともに、パネルのほぼ中央部には開口部２が形成されており、該開口部の両側の部位に長手方向に平行な貫通孔４が形成されている。【選択図】図１
0003099538.tif 000002
【実用新案登録請求の範囲】
【請求項１】
建物の塀、門または壁に用いられる矩形状の建築用パネルであって、外周に溝が形成されるとともに、パネルのほぼ中央部には開口部が形成されており、該開口部の両側の部位に長手方向に平行な貫通孔が形成されてなることを特徴とする建築用パネル。
【請求項２】
前記開口部に装飾用プレートが設けられてなる請求項１記載の建築用パネル。
【請求項３】
前記装飾用プレートがステンドグラス、モザイクタイルまたはアクリル板である請求項２記載の建築用パネル。
【請求項４】
前記パネルの外周部から前記開口部に貫通する配線用貫通孔が形成されてなる請求項１、２または３記載の建築用パネル。
【請求項５】
前記開口部の内周部に段部が形成されてなる請求項１、２、３または４記載の建築用パネル。
【請求項６】
前記溝に嵌着される連結部材を備えてなる請求項１、２、３、４または５記載の建築用パネル。
【考案の詳細な説明】
【技術分野】
【０００１】
　本考案は建築用パネルに関する。さらに詳しくは、建物の塀、門または壁に用いられる建築用パネルに関する。
【背景技術】
【０００２】
　従来より、たとえば建物の塀を築く方法として、レンガ、コンクリートブロックまたは石材をモルタルなどで互いに結合させつつ積み上げる方法がある。
【０００３】
　しかしながら、レンガなどの材料は、その素材特有の趣きはあるものの、基本的には単色で無模様であるため、できあがった塀や壁の外観は単調になりがちであり、意匠性に乏しかった。
【０００４】
　また、建物の入口ないしは玄関廻りには、表札、玄関灯、インターホーンなどの付属品を設置することが多いが、従来のレンガやコンクリートブロックは、これらの付属品の設置を前提とした構造になっておらず、塀や門を作ってから、レンガやコンクリートブロックに取付用の加工を施して前記付属品を設置するのが一般的であった。このため、付属品を含めた塀や門全体の外観上の調和をとるのが難しかった。また、前記付属品の設置のために追加の工事が必要となっていた。
【考案の開示】
【考案が解決しようとする課題】
【０００５】
　本考案は、叙上の事情に鑑み、意匠性を高めるとともに、付属品の設置を簡単に行なうことができる建築用パネルを提供することを目的とする。
【課題を解決するための手段】
【０００６】
　本考案の建築用パネルは、建物の塀、門または壁に用いられる矩形状の建築用パネルであって、外周に溝が形成されるとともに、パネルのほぼ中央部には開口部が形成されており、該開口部の両側の部位に長手方向に平行な貫通孔が形成されてなることを特徴とする。
【考案の効果】
【０００７】
　本考案によれば、意匠性を高めるとともに、付属品の設置を簡単に行なうことができる。
【考案を実施するための最良の形態】
【０００８】
　以下、添付図面に基づいて本考案の建築用パネルを説明する。
【０００９】
　図１〜３に示されるように、本考案の一実施の形態にかかわる建築用パネル（以下、単にパネルという）１は、矩形状を呈しており、ほぼ中央部には開口部２が形成されている。該パネル１は、上下に積層して組み付けられるため、正方形または長方形の矩形であれば、その形状や寸法は、本考案において、とくに限定されるものではないが、本実施の形態では、加工しやすく方向性のない正方形にされている。また、パネル１は、天然石、人工石、コンクリートまたは合成樹脂などから作製することができるが、本実施の形態では、強度および意匠性を考慮して天然石から作製されている。また、パネル１の両面には、立体感を与えるために磨き仕上面の隆起部３が形成されている。
【００１０】
　前記パネル１の開口部２の両側の部位には、長手方向（高さ方向）Ｆ（図１参照）に貫通する一対の平行な貫通孔４が形成されている。該一対の貫通孔４は、たとえば門を施工するときに、パネル１を基礎コンクリートの土台に植設された、たとえば一対のアンカー用鉄筋に挿通させて、パネル１を複数個組み付ける（積層する）ときに用いられる。
【００１１】
　前記開口部２は、そのままにしておいてもよいが、たとえばパネル１の意匠性を高めるために装飾用プレートを設けることができる。該装飾用プレートついては種々の態様が考えられるが、顧客の要望などにより適宜選定することができる。具体的には、たとえば開口部２の内部に貼り付けられる複数のモザイクタイル、または開口部２を覆うように設けられるステンドグラス、モザイクタイルもしくはアクリル板などを用いることができる。また、本実施の形態では、該装飾用プレートを接着剤などにより開口部２に位置決めして固着するために、該開口部２の内周部に段部５が形成されている。なお、前記アクリル板を表札として使用する場合、該開口部２の内部に照明器具を内蔵できるように、パネルの外周部から該開口部２に貫通する配線用貫通孔６を形成するのが好ましい。
【００１２】
　前記パネル１の外周には、４つの溝７ａ、７ｂ、７ｃおよび７ｄが形成されている。該４つの溝のうち、パネル１の上部および下部に形成された溝７ａ、７ｂは、該溝７ａ、７ｂに、図４に示される連結部材８を嵌着して上下に積層されるパネル１同士の位置合わせと組み付けのために形成されている。なお、図４において、８ａは前記アンカー用鉄筋９用貫通孔である。すなわち図５に示されるように、予め一対のアンカー用鉄筋９に挿通して配置された下部パネル１の溝７ａに連結部材８を嵌着したのち、そのパネル１の上に、矢印Ｓの方向から前記一対のアンカー用鉄筋９に挿通させつつ上部パネル１を積層して前記連結部材８に該上部パネル１の溝７ｂを嵌着して、上下パネルの位置合わせと組み付けを行なう。この場合、上下パネルを固定するために、連結部材８の少なくとも上下面にモルタルや接着剤を塗布しておく。これに対し、残りのパネル１の側端部に形成される溝７ｃ、７ｄのうち、門の施工後露出する部分には、たとえばモザイクタイルを嵌め込むことができる。なお、最上段のパネル１の露出する溝７ａには、前記連結部材８を嵌着するか、またはモザイクタイルを嵌め込むことで外観を向上させることができる。
【００１３】
　つぎに本実施の形態にかかわるパネル１の使用例を説明する。図６に示されるように、基礎コンクリートの土台（図示せず）に植設されたアンカー用鉄筋（図示せず）に１段目のパネルとして、開口部にモザイクタイル１１を嵌着したパネル１ａと開口部の内部に設けたモルタルなどの下地層に複数のモザイクタイル１２が貼り付けられたパネル１ｂを挿通し前記土台に固着する。ついで２段目のパネルとして、開口部の内部に複数のモザイクタイル１３が貼り付けられたパネル１ｃと開口部にステンドグラス１４を嵌着したパネル１ｄをそれぞれ前記アンカー用鉄筋に挿通して、前記パネル１ａとパネル１ｂのうえに連結部材８を用いて位置合わせと組み付けを行なう。ついで前記パネル１ｄのうえに、開口部にステンドグラス１５を嵌着したパネル１ｅおよび開口部に表札として使用されるアクリル板１６を嵌着したパネル１ｆを順次組み付ける。このパネル１ｆの内部には照明器具（図示せず）が内蔵されている。なお、前記パネル１ａとパネル１ｂとのあいだおよびパネル１ｃとパネル１ｄとのあいだの隙間はモルタルにより塞ぐ。そして、前記パネル１ａ、１ｂ、１ｃ、１ｄ、１ｅおよび１ｆの露出する側面部の溝にモザイクタイル１７をモルタルまたは接着剤により固着する。ついで前記パネル１ｃの上部およびパネル１ｄの側部にそれぞれ照明器具１８、１９を取り付けるとともに、前記パネル１ｅの側部にインターホーン２０を取り付ける。前記パネル１ｆの内部の照明器具、照明器具１９およびインターホーン２０の配線は、図１に示される配線用貫通孔６を用いて屋内に接続することができる。このように、照明器具などの付属品も含め簡単にパネルを組み立てることができる。また、各パネルには意匠が施され、立体感が付与されているので、門の外観を向上させることができる。そして、装飾用プレートの種類や組み合わせを自由に選択することができるので、好みに合った外観を得ることができる。
【００１４】
　なお、本実施の形態では門の施工例について説明したが、本考案は、建物の塀または壁に適用することもできる。
【図面の簡単な説明】
【００１５】
【図１】本考案の一実施の形態にかかわる建築用パネルを示す斜視図である。
【図２】図１の建築用パネルの平面図である。
【図３】図２のＡ−Ａ線断面図である。
【図４】パネル組み付けのための連結部材を示す斜視図である。
【図５】図１の建築用パネルの組み付けを説明する図である。
【図６】本考案の一実施の形態にかかわる建築用パネルの使用例を説明する斜視図である。
【符号の説明】
【００１６】
　　　　　　　　　　１　　建築用パネル
　　　　　　　　　　２　　開口部
　　　　　　　　　　３　　隆起部
　　　　　　　　　　４　　貫通孔
　　　　　　　　　　５　　段部
　　　　　　　　　　６　　配線用貫通孔
　７ａ、７ｂ、７ｃ、７ｄ　溝
　　　　　　　　　　８　　連結部材
　　　　　　　　　　８ａ　アンカー用鉄筋用貫通孔
　　　　　　　　　　９　　アンカー用鉄筋
【図１】
0003099538.tif 000003
【図２】
0003099538.tif 000004
【図３】
0003099538.tif 000005
【図４】
0003099538.tif 000006
【図５】
0003099538.tif 000007
【図６】
0003099538.tif 000008